(57)【要約】 【課題】  宗派の高僧や本尊、位牌などの仏具要素の交換自在化、及び欄間板の取り付けや支持台の折り畳み収納の簡易化を達成する簡易構造から成る簡易仏壇を提供すること。【解決手段】  正面視Ｕ状の枠体１と、背板２と、観音開きの扉３とからなる仏壇本体において、背板２の上部に突出部４を設けるとともに壁掛け手段を設け、枠体１の開口部６から下方内端に渡り背板２の内面には中央と左右の三列に案内部９を縦設し、各案内部９を横仕切り桟１０で上下二段に仕切り、それぞれの案内部９に各種仏具要素を案内配置し、開口部６から枠体１の左右内面で案内部９の上面位置に掘設した縦溝２０に欄間板２１を挿入配設する。【選択図】図３
2006255222.tif 000002
【特許請求の範囲】
【請求項１】
上部に開口部を設けた正面視Ｕ状の枠体と、該枠体の背面を塞ぐ背板と、枠体の上面に被蓋される観音開きの扉とからなる仏壇本体において、
前記開口部の開口端から枠体の下方内端に渡り背板の内面には中央と左右に案内部を縦設し、各案内部には仏具要素を配置し、前記開口部の開口端より枠体の左右内面で前記案内部の上面位置に掘設した縦溝に欄間板をその両端において挿入配設して成る簡易仏壇。
【請求項２】
上部に開口部を設けた正面視Ｕ状の枠体と、該枠体の背面を塞ぐ背板と、枠体の上面に被蓋される観音開きの扉とからなる仏壇本体において、
前記開口部の開口端から枠体の下方内端に渡り背板の内面には中央と左右に案内部を縦設し、各案内部を縦方向中間に横設する横仕切り桟で上下二段に仕切り、各案内部には上下二段に渡って仏具要素を配置し、前記開口部の開口端より枠体の左右内面で前記案内部の上面位置に掘設した縦溝に欄間板をその両端において挿入配設して成る簡易仏壇。
【請求項３】
前記枠体の下部内方空間に支持台を折り畳み突出自在に収納して成る請求項１又は請求項２記載の簡易仏壇。
【請求項４】
下段の三列の案内部が各個に独立した分割額縁体から成り、各分割額縁体は上端部の開口端から分割向板が挿入内設されるとともに、その上下端がそれぞれ前記横仕切り桟と枠体の下方内端に欠切される嵌着溝に嵌着されて成る請求項２記載の簡易仏壇。
【請求項５】
前記背板の上縁に枠体の上端より突出させた突出部を設けるとともに壁掛け手段を設けた請求項１又は請求項２記載の簡易仏壇。
【請求項６】
前記背板の背面に、壁面に固着した係合用の雄部に係合する雌部を設けて壁掛け手段とした請求項１又は請求項２記載の簡易仏壇。
【発明の詳細な説明】
【技術分野】
【０００１】
本発明は、宗教用具の仏壇に属し、壁掛け式に使用できる簡易構造の仏壇に関する。
【背景技術】
【０００２】
簡易仏壇に関しては数種提案され、壁掛け式の簡易な仏壇としては、特開２００３−２３０４６８号公報（特許文献１）に開示されているが、コンパクトに仏具要素を収納できるものでなく、ビスなどでの組み立て作業を伴うなどの問題がある。
【特許文献１】特開２００３−２３０４６８号公報
【発明の開示】
【発明が解決しようとする課題】
【０００３】
本発明は、扉を開いただけで仏壇の雰囲気を醸し出し、宗派の高僧や本尊、位牌などの仏具要素の交換自在化、及び欄間板の取付けや支持台の折り畳み収納の簡易化を達成する簡易構造から成る簡易仏壇を提供しようとするものである。
【課題を解決するための手段】
【０００４】
本発明の請求項１に記載した簡易仏壇は、上部に開口部を設けた正面視Ｕ状の枠体（左右の縦桟と下方の横桟で枠組みされる。）と、枠体の下面に接合される背板と、枠体の上面に被蓋される観音開きの扉とからなる仏壇本体において、
前記背板の上部に枠体の上端より所要に突出させた突出部を設けるとともに、該背板に壁掛け手段を配設し、前記開口部の開口端から枠体の下方内端に渡り背板の内面には中央と左右の三列に案内部を縦設するとともに、各案内部を縦方向中央に横設する横仕切り桟で上下二段に仕切り、各案内部には上下二段に渡り各種仏具要素を案内配置し、前記開口部の開口端より枠体の左右内面で前記案内部の上面位置に掘設した縦溝に欄間板をその両端において挿入配設して成る。
請求項２に記載した簡易仏壇は、請求項１に記載した簡易仏壇において、前記枠体の下部内方空間に支持台を折り畳み水平突出自在に収納して成る。
請求項３に記載した簡易仏壇は、請求項１又は２に記載した簡易仏壇において、下段の三列の案内部が各個に独立した分割額縁体から成り、各分割額縁体は上端部の開口端から分割向板が挿入内設されるとともに、その上下端がそれぞれ前記横仕切り桟と枠体の下方内端に欠切される嵌着溝に嵌着されて成る。
【発明の効果】
【０００５】
本発明の簡易仏壇によれば、三列の案内部に分割向板に表現された各種仏具要素が案内配置されるから、倒れて落下することなくコンパクトに安定して納められ、故人の命日に応じて位牌や遺影を差し換えなども自在であるから、壁掛け式の簡易構造でありながら、先祖や故人に対してきめ細かな表現で供養できる効果がある。
【発明を実施するための最良の形態】
【０００６】
本発明の簡易仏壇における案内部は、背板の内面中央の二個所と枠体の左右内面とに縦設される案内縦桟の各対向案内溝間において、挿脱自在に挿嵌される各横仕切り桟の案内溝を境界にしてそれぞれ上下二段に仕切られるものから、左右の案内部は固定横仕切り桟で上下二段に仕切られ、下段の左右の案内部は、枠体の左右内面に添設される案内縦桟と中央の両案内縦桟のそれぞれの外方に縦設される案内溝とがそれぞれ除かれ、単に分割向板の貼り付けスペースとして提供されるもの、或は横仕切り桟を枠体の左右間に一体に配設して三列の案内部を上下二段に仕切り、上段の各案内部が各案内縦桟の各案内溝と、前記横仕切り桟に添設される分割案内横桟の各案内溝とで形成され、下段の三列の案内部が各個に独立した分割額縁体から成り、各分割額縁体は上端部の開口端から分割向板が挿入内設されるとともに、上下端がそれぞれ前記横仕切り桟と枠体の下方内端に欠切される嵌着溝に嵌着されるものなどで提供される。また、各種仏具要素としては、前記各案内部に案内される分割向板にまき絵や沈金、プリントで表現される各宗派の高僧、本尊、位牌や常花などである。なお、扉内側に装飾・遺影・法名軸を飾ることもできる。
【実施例１】
【０００７】
本発明の簡易仏壇Ａを実施例１により説明すると、図１、図２に示すように、枠体１の下面側（仏壇裏面側）は背板２で蓋され、上面側は枠体１の左右外面に蝶着された観音開きの扉３で被蓋され、背板２の上部には枠体１の上端より突出させた突出部４が設けられ、突出部４に壁掛け手段としての壁掛け孔５が配設される。
背板２の内面には図３、図４に示すように、上部に開口部６を設けた正面視Ｕ状の枠体１において、中央には左右に横向きの案内溝７を縦設した縦断面Ｔ字状で開口部６の開口端から枠体１の下方内端に渡り二本の案内縦桟８が所要間隔で縦設されて案内縦桟８、８間に中央の案内部９が形成され、案内部９はその縦方向中央に挿脱自在に横設され上下に案内溝７が横設された横向きＴ字状の横仕切り桟１０で上下二段に仕切られ、左右の各案内部９は枠体１の左右それぞれの内面に沿って添設され、かつ、内方に向けて開口する案内溝７を縦設した縦断面逆Ｌ字状の案内縦桟１１の各案内溝７と中央の各案内縦桟８の外方に開口した各案内溝７との間に形成され、上部のみに案内溝７が横設されて固定された横仕切り桟１０で仕切られた上段の案内部９のみが分割向板の落とし込みに使用される。
すなわち、中央の下段の案内部９には表面に位牌１２が表現された分割向板１３が各案内溝７に挿通案内されて落とし込まれ、その上端が挿脱自在に両案内溝７、７間に挿嵌された横仕切り桟１０の案内溝７に嵌着して位置決めされ、上段の中央の案内部９には本尊１４を表現した分割向板１５が三方（左右と底）の案内溝７に嵌着して位置決めされ、上段の左右の案内部９には高僧１６の絵柄の表現された分割向板１７が三方の案内溝７に嵌着して位置決めされ、下段の左右に形成される案内部９には仏花１８の表現された分割向板１９が裏面に接合された接着マット（図外）を介して着脱自在に接着される。
開口部６にはその開口端から枠体１の左右内面に縦設した縦溝２０に挿入された側面視Ｔ字状の欄間板２１が配設され、欄間板２１の天板２２が上段の各案内部９の開口端を閉塞して成る。
このほか図５に示すように、枠体１の下部には、支持台２３の一端が蝶着されてその内面空間に収納されるものも提供され、この場合は仮想線で示される支持台２３に準備される香炉・木魚・鈴（図外）などが載置される。
【０００８】
このようにして成る簡易仏壇Ａは、図１に示す状態で適宜な係止具に壁掛け孔５を係止して吊下され、使用時には図３に示すように扉３が左右に開かれ、その下に適宜に設けられる台座（図外）に香炉・木魚・鈴が載置されて供養に供される。回出位牌の場合は位牌１２の差し換えや本尊１４に代えて故人の遺影を差し換える場合は、上部の欄間板２１を抜き取って開口端から本尊１４の分割向板１５を引き上げ、次いで横仕切り桟１０を引き抜いて下段の位牌１２の分割向板１３を取り外せば差し換えできる。図５に示すように、枠体１の内面空間に支持台２３を収納したものでは、支持台２３を外方へ水平に突出させて仮想線で示すような状態に突出すれば、その上面に香炉・木魚・鈴を載置できる。
このように、扉３を開ければ一般の仏壇の荘厳な雰囲気が醸し出され、故人の命日毎の差し換えも簡単であるから供養できる上、不使用時には図２に示されるように折り畳まれる。
【実施例２】
【０００９】
次に、実施例２により別態様による簡易仏壇Ｂを説明すると、図６、図７に示すように、正面視Ｕ状（左右の縦桟と下方の横桟で枠組みされる。）の枠体１の下面側（仏壇裏面側）には背板２が接合され、上面側は枠体１の左右外側面に蝶着された観音開きの２枚の扉３で被蓋され、背板２の上部には枠体１の上端より突出させた突出部４が設けられ、その背面には図１３に示すように、略全幅に渡って楔状の噛合片２４を垂下した壁掛け手段としての壁掛け雌部２５を一体にして成る。
背板２の内面には、枠体１の左右の縦桟間で一体に配設された横仕切り桟２６で上下二段に仕切られた各三列の案内部９が配設され、上段の各案内部９は図８に示すように、中央で所要間隔に枠体１の開口部６の開口端から横仕切り桟２６に渡り縦設された縦断面Ｔ字状の案内縦桟８の内方に対向する各案内溝７と、両案内縦桟８、８間で横仕切り桟２６に添設される逆Ｌ字状の案内横桟２７の案内溝７とで形成される中央部の案内部９と、その左右では、それぞれ枠体１の縦桟の内面に添設される逆Ｌ字状の案内縦桟１１の案内溝７と前記中央の一方の案内縦桟８の外方側の案内溝７及び横仕切り桟２６に添設される逆Ｌ字状の案内横桟２７の案内溝７とで形成される左右の各案内部９から成り、各案内部９にはそれぞれ分割向板１７が挿脱自在に挿着され、中央の分割向板１５には、まき絵や沈金などの技法で前記と同様の本尊（図外）が表現され、左右の分割向板１７には同様に高僧（図外）が表現される。
また、下段の各案内部９は図１０に示すやや幅の狭い左右に配設される分割額縁体２８と、中央のやや幅の広い分割額縁体２９とから成る。
すなわち、各分割額縁体２８、２９はそれぞれの分図（ｂ）に示すように、上端部に開口端３０を有する収納空間３１が形成され、中央に配設される分割額縁体２９ではこの収納空間３１に位牌の表現される分割向板１３が挿脱自在に挿着され、左右に配設される分割額縁体２８ではこの収納空間３１にそれぞれ常花などが表現された分割向板１９が挿脱自在に挿着される。各分割額縁体２８、２９はその上下端に嵌入突起３２が突設され、上方の該突起３２を長く、下方の該突起３２を短くして、図１２に示すように上方の嵌入突起３２は、前記横仕切り桟２６に欠切した嵌入溝３３に嵌着され、その背丈は嵌入突起３２の長さより深くし、下方の嵌入突起３２は枠体１の下方横桟の内面に添設された補助横桟３４に欠切（前記欠切位置と同位相）した嵌入溝３５に落し込みで嵌着されて成る。
下段の上記三列に配設された左右の各分割額縁体２８のそれぞれ外側面と枠体１の各縦桟の内面間に形成される空間３６には支持台２３の両端に一体に立設される各取付け腕３７が緩挿され、ピン３８にて回動自在に各縦桟に軸支され、図１３に示すように、不使用時には下部内方空間に収納され、使用時には下方の横桟の内面に支持台２３の外面（下面）が係止され、位置決めされて外方へ突出される。この収納状態では、図１２に示すように、支持台２３の上面が分割額縁体２８、２９との上面に対して所要の空隙を配して折り畳まれるとともに、その下面は下部内方空間に収まるように位置取りされて扉３の閉止に支障ない姿勢が確保される。
枠体１の上方の開口部６にはその開口端から枠体１の左右の縦桟の内面に縦設した縦溝２０に挿入された側面視Ｔ字状の欄間板２１が配設され、欄間板２１の天板２２が上段の各案内部９の開口端を閉塞して成り、下方の横桟の上面には所要幅に渡って外端に向けて凹溝３９を欠切し、扉３を開き易くして成る。
【００１０】
このようにして成る簡易仏壇Ｂは、図１３に示すように、壁面などに固着される仮想線で示した楔状の噛合部を突設した雄部４０に壁掛け雌部２５が楔着され、使用時には枠体１の下端の凹溝３９に指を入れて扉３を開く。上段の各案内部９は開口部６から欄間板２１を引き抜けば開口されるから、各分割向板１５、１７は抜き挿し自在であり、受注時に注文主の希望する宗派のものを簡便に対応できる。下段の各案内部９は着脱自在であるから、故人の命日毎に位牌の差し換えや板状仏具などの差し換えも簡単にできる。支持台２３を支える取付け腕３７は支持台２３を突出させて香炉・木魚・鈴を載置したときに装飾的な働きと側方への脱落防止を兼備する。
このほか、下段中央の分割向板１３には位牌１２に代えて掛け軸や法名などが表現されたり、扉３の内側や欄間板２１は適宜に加飾され、背板２は不透光のものから、透光性のステンドグラスなどで提供されることもある。なお、沈金技法においては、毛彫やレーザー彫のほか、これらに彩色を施したものも提供される。
【産業上の利用可能性】
【００１１】
核家族化（小家族化）する現代では、高価な仏壇は敬遠されるが、本発明の簡易仏壇は持ち運び容易で、安価に、場所をとらないで提供され得るから、多方面の需要が見込まれる。
【図面の簡単な説明】
【００１２】
【図１】本発明の簡易仏壇Ａの正面図。
【図２】図１の平面図。
【図３】本発明の簡易仏壇Ａの使用状態の正面図。
【図４】図３のＡ−Ａ矢視拡大断面図。
【図５】枠体１の下部内方空間に支持台２３を収納した場合の説明用部分断面図。
【図６】本発明の他の実施態様における簡易仏壇Ｂの扉３を開いた状態の正面図。
【図７】図６の底面図。
【図８】図６のＡ−Ａ矢視部分拡大断面図。
【図９】図６のＢ−Ｂ矢視部分拡大断面図。
【図１０】下段の左右に配設される案内部９の説明図であり、（ａ）はその斜視図、（ｂ）は（ａ）のＣ−Ｃ矢視断面図。
【図１１】下段の中央に配設される案内部９の説明図であり、（ａ）はその斜視図、（ｂ）は（ａ）のＤ−Ｄ矢視断面図。
【図１２】図６のＥ−Ｅ矢視部分拡大断面図。
【図１３】扉を閉じた状態の簡易仏壇Ｂの右側面図。
【図１４】下段の各案内部９を取り外した状態の支持台２３の収納突出状態の説明図。
【符号の説明】
【００１３】
１：枠体
２：背板
３：扉
４：突出部
５：壁掛け孔
６：開口部
７：案内溝
８：案内縦桟
９：案内部
１０：横仕切り桟
１１：案内縦桟
１２：位牌
１３：分割向板
１４：本尊
１５：分割向板
１６：高僧
１７：分割向板
１８：仏花
１９：分割向板
２０：縦溝
２１：欄間板
２２：天板
２３：支持台
２４：噛合片
２５：壁掛け雌部
２６：横仕切り桟
２７：案内横桟
２８：分割額縁体
２９：分割額縁体
３０：開口端
３１：収納空間
３２：嵌入突起
３３：嵌入溝
３４：補助横桟
３５：嵌入溝
３６：空間
３７：取付け腕
３８：ピン
３９：凹溝
４０：雄部
Ａ、Ｂ：簡易仏壇
【図１】
2006255222.tif 000003
【図２】
2006255222.tif 000004
【図３】
2006255222.tif 000005
【図４】
2006255222.tif 000006
【図５】
2006255222.tif 000007
【図６】
2006255222.tif 000008
【図７】
2006255222.tif 000009
【図８】
2006255222.tif 000010
【図９】
2006255222.tif 000011
【図１０】
2006255222.tif 000012
【図１１】
2006255222.tif 000013
【図１２】
2006255222.tif 000014
【図１３】
2006255222.tif 000015
【図１４】
2006255222.tif 000016